(57)【要約】【課題】  ユニット建物に単一の広々した柱なし空間を形成すること。【解決手段】  柱１１と床梁１２と天井梁１３を接合した建物ユニット１０を用いてなるユニット建物１において、相隣る建物ユニット１０のそれぞれに定めた柱梁省略コーナー部をそれら建物ユニット１０の柱省略接合部３０にて互いに突き合せ配置してなるものであり、複数の柱省略接合部３０（３０Ａ、３０Ｂ）を有し、それら柱省略接合部３０を単一の柱なし空間１００に臨ませてなるもの。【選択図】  図４
2006249699.tif 000002
【特許請求の範囲】
【請求項１】
柱と床梁と天井梁を接合した建物ユニットを用いてなるユニット建物において、
相隣る建物ユニットのそれぞれに定めた柱省略コーナー部をそれら建物ユニットの柱省略接合部にて互いに突き合せ配置してなるものであり、
複数の柱省略接合部を有し、それら柱省略接合部を単一の柱なし空間に臨ませてなることを特徴とするユニット建物。
【請求項２】
前記相隣る建物ユニットの柱省略接合部を含む同一面内で該柱省略コーナー部に交差配置されている各建物ユニットの天井梁を継ぎ天井梁とし、
相隣る建物ユニットの柱省略接合部にて相対する継ぎ天井梁同士を接合してなる請求項１に記載のユニット建物。
【請求項３】
前記複数の柱省略接合部の少なくとも１つを相隣る建物ユニットの外壁面に配置した請求項１又は２に記載のユニット建物。
【請求項４】
前記建物ユニットの柱省略接合部が配置される外壁面を妻側の外壁面とする請求項３に記載のユニット建物。
【請求項５】
前記柱なし空間を続き間とする請求項１〜４のいずれかに記載のユニット建物。
【請求項６】
前記柱なし空間を店舗とする請求項１〜４のいずれかに記載のユニット建物。
【請求項７】
前記柱なし空間を集合住宅の仕切壁により２分し、２分した空間のそれぞれを相隣る各戸に割当てる請求項１〜４のいずれかに記載のユニット建物。
【発明の詳細な説明】
【技術分野】
【０００１】
本発明はユニット建物に関する。
【背景技術】
【０００２】
従来、特許文献１に記載の如く、柱と床梁と天井梁を接合した建物ユニットを用いてなるユニット建物において、相隣る建物ユニットのそれぞれに定めた柱省略コーナー部を柱省略接合部にて互いに突き合せ配置し、柱を省略した柱なし空間を形成するものがある。
【特許文献１】特開2001-348958
【発明の開示】
【発明が解決しようとする課題】
【０００３】
特許文献１に記載される如くのユニット建物では、柱省略接合部を建物の内側に唯１ヶ所を設けるだけであり、続き間、店舗、集合住宅でのプランニングに制約があった。
【０００４】
本発明の課題は、ユニット建物に単一の広々した柱なし空間を形成することにある。
【課題を解決するための手段】
【０００５】
請求項１の発明は、柱と床梁と天井梁を接合した建物ユニットを用いてなるユニット建物において、相隣る建物ユニットのそれぞれに定めた柱省略コーナー部をそれら建物ユニットの柱省略接合部にて互いに突き合せ配置してなるものであり、複数の柱省略接合部を有し、それら柱省略接合部を単一の柱なし空間に臨ませてなるようにしたものである。
【０００６】
請求項２の発明は、請求項１の発明において更に、前記相隣る建物ユニットの柱省略接合部を含む同一面内で該柱省略コーナー部に交差配置されている各建物ユニットの天井梁を継ぎ天井梁とし、相隣る建物ユニットの柱省略接合部にて相対する継ぎ天井梁同士を接合してなるようにしたものである。
【０００７】
請求項３の発明は、請求項１又は２の発明において更に、前記複数の柱省略接合部の少なくとも１つを相隣る建物ユニットの外壁面に配置したものである。
【０００８】
請求項４の発明は、請求項３の発明において更に、前記建物ユニットの柱省略接合部が配置される外壁面を妻側の外壁面とするようにしたものである。
【０００９】
請求項５の発明は、請求項１〜４のいずれかの発明において更に、前記柱なし空間を続き間とするようにしたものである。
【００１０】
請求項６の発明は、請求項１〜４のいずれかの発明において更に、前記柱なし空間を店舗とするようにしたものである。
【００１１】
請求項７の発明は、請求項１〜４のいずれかの発明において更に、前記柱なし空間を集合住宅の仕切壁により２分し、２分した空間のそれぞれを相隣る各戸に割当てるようにしたものである。
【発明の効果】
【００１２】
（請求項１）
(a)ユニット建物において、複数の柱省略接合部を有し、それら柱省略接合部を単一の
柱なし空間に臨ませた。従って、ユニット建物に、柱に邪魔されない、単一の広々した柱
なし空間を形成できる。
【００１３】
（請求項２）
(b)相隣る建物ユニットの柱省略接合部にて、各建物ユニットの相対する継ぎ天井梁同
士を接合した。従って、各建物ユニットとは別個の長尺梁を用いることなく、柱省略したユニット建物を補強でき、材料の管理性、施工性が良い。
【００１４】
（請求項３）
(c)ユニット建物において、相隣る建物ユニットの外壁面に柱省略接合部を設けた。従
って、ユニット建物の上記の外壁面に、柱に邪魔されない大開口を形成できる。
【００１５】
（請求項４）
(d)建物ユニットの平面視で短辺側となる妻側の外壁面では、相隣る建物ユニットとの
間で柱を省略しない場合に、特に柱が密になり、開口が小さめになる。従って、相隣る建物ユニットの妻側の外壁面に前述(c)の柱省略接合部を設けることにより、その妻側の外
壁面で大開口を形成できる。
【００１６】
（請求項５）
(e)前述(a)の柱なし空間を玄関、サニタリー、ダイニング等の続き間とすることにより、建物内に各部屋のより自由なレイアウトと十分な通路巾を確保できる。
【００１７】
(f)相隣る建物ユニットの柱省略接合部が配置される外壁面を玄関入り口とすることに
より、玄関入り口のレイアウトの自由度を向上できる。
【００１８】
(g)建物ユニットの東面に配置した妻側の外壁面に柱省略接合部を設けることにより、
東向き玄関入り口のレイアウトの自由度を向上し、かつ当該建物ユニットの長辺側となる桁側を南面に配置して広い南面居室を確保できる。
【００１９】
（請求項６）
(h)前述(a)の柱なし空間によって、建物内により広い店舗を形成できる。柱がとれるので、陳列棚を２列等の複列配置できる。
【００２０】
(i)相隣る建物ユニットの柱省略接合部が配置される外壁面を店舗の開口とすることに
より、店舗の開口のレイアウトの自由度を向上できる。
【００２１】
(j)建物ユニットの一面に配置した妻側の外壁面に柱省略接合部を設けることにより、
妻面に大開口を形成し、かつ当該建物ユニットの長辺側となる桁面にも大開口を形成できる。従って、建物ユニットの妻面と桁面の両面に大開口を形成できるし、妻面と桁面の両面からエントリー可能にしてそれらの２面接道にも対応できる。
【００２２】
（請求項７）
(k)前述(a)の柱なし空間を集合住宅の仕切壁により２分し、２分した空間のそれぞれを相隣る各戸に割当てることにより、相隣る各戸のプランニングの自由度を向上できる。相隣る各戸の限られた開口サイズに臨む南面空間のそれぞれを柱なしとすることにより、各戸に南面に臨む２室をコンパクトに実現できる。
【発明を実施するための最良の形態】
【００２３】
図１はユニット建物示す模式図、図２はユニット建物の柱省略接合部を示す模式図、図３は柱省略接合部の補強構造を示す模式図、図４は実施例１のユニット建物を示す間取図、図５は図４のブロックパターン図、図６は実施例２のユニット建物を示す間取図、図７
は図６のブロックパターン図、図８は実施例３のユニット建物を示す間取図、図９は図８のブロックパターン図、図１０は比較例のユニット建物を示す間取図である。
【実施例】
【００２４】
本発明はユニット建物１において、広々した柱なし空間を形成するプランニングに関するものであるが、最初に、本発明の後述する実施例において用いられる、(A)建物ユニッ
ト１０の構成、(B)ユニット建物１の柱省略接合部の補強構造について説明する。
【００２５】
(A)建物ユニット１０の構成（図１）
ユニット建物１は、複数の建物ユニット１０を水平方向と鉛直方向に隣接設置して構築され、１階建や２階建、更には３階建等の中高層建物をも構築できる。
【００２６】
建物ユニット１０は、図１に示す如く、角鋼管製柱１１と、形鋼製床梁１２と、形鋼製天井梁１３を箱形に接合した骨組構造体である。建物ユニット１０は、柱１１の下端部にジョイントピース１１Ｊを介して床梁１２を溶接し、柱１１の上端部にジョイントピース１３Ｊを介して天井梁１３を溶接して構成される。建物ユニット１０は、床梁１２を省略できる。
【００２７】
建物ユニット１０は、少なくとも１個のコーナー部を柱１１が省略された柱省略コーナー部としてなる柱省略建物ユニット２０に変形できる。柱省略建物ユニット２０は、工場生産段階、建築現場への輸送段階で、柱省略コーナー部に仮柱１４（図３）を着脱できる。
【００２８】
(B)ユニット建物１の柱省略接合部の補強構造（図２、図３）
ユニット建物１は、その建物内の一部において柱省略建物ユニット２０を用い、図２に示す如く、複数個の柱省略建物ユニット２０を隣接設置し、各柱省略建物ユニット２０の柱省略コーナー部を互いに突き合せて柱省略接合部３０を形成できる。
【００２９】
相隣る柱省略建物ユニット２０の柱省略接合部３０を含む同一面内で、それらの柱省略コーナー部に交差配置されている各柱省略建物ユニット２０の天井梁１３を継ぎ天井梁１３Ａとし、相隣る柱省略建物ユニット２０の柱省略接合部３０にて相対する継ぎ天井梁１３Ａ同士を接合する。
【００３０】
このとき、相隣る継ぎ天井梁１３Ａは、図３に示す如く、柱省略コーナー部まで（柱１１の横断面分）延長され、両継ぎ天井梁１３Ａに渡ってそれらの上フランジとウエブとリップの外側に被嵌するＵ字状上外側添板３１と、両継ぎ天井梁１３Ａに渡ってそれらの両フランジの内側に添設される上内側添板３２とともに、高力ボルト３３等でボルト締結され、かつ両継ぎ天井梁１３Ａに渡ってそれらの下フランジとウエブとリップの外側に被嵌するＵ字状下外側添板３４と、両継ぎ天井梁１３Ａに渡ってそれらの下フランジの内側に添設される下内側添板３５とともに、高力ボルト３６等でボルト締結される。
【００３１】
尚、１階柱省略建物ユニット２０の継ぎ天井梁１３Ａは、図３（Ｂ）に示す如く、上フランジと上外側添板３１に貫通設置されるガイドピン３７に２階柱省略建物ユニット２０（柱省略されない建物ユニット１０でも可）の短柱１１Ａ（柱１１でも可）の端板ガイド孔を嵌通することにて、２階柱省略建物ユニット２０の床梁１２を載せ置きされる。そして、２階柱省略建物ユニット２０の床梁１２は、下フランジと、その内側に添設される座金プレート３７を、前述の高力ボルト３３等で１階柱省略建物ユニット２０の継ぎ天井梁１３Ａに共締めされる。
【００３２】
（実施例１）（図４、図５）
図４、図５のユニット建物１Ａは、６個の建物ユニット１０からなり、それらの妻面（建物ユニット１０の平面視で短辺側となる面）を東西向きに配置し、それらの桁面（建物ユニット１０の平面視で長辺側となる面）を南北向きに配置する。
【００３３】
ユニット建物１Ａは、６個の建物ユニット１０のうち、４個の建物ユニット１０を柱省略建物ユニット２０とし、東面配置の２個の柱省略建物２０の外壁面側会合部に柱省略接合部３０Ａを形成し、４個の柱省略建物ユニット２０の建物内側開口部に柱省略接合部３０Ｂを形成することにより、２個の柱省略接合部（３０Ａ、３０Ｂ）を有し、それら柱省略接合部３０Ａ、３０Ｂを単一の柱なし空間１００に臨ませている。尚、柱省略接合部３０（３０Ａ、３０Ｂ）は前述図２、図３の如くに補強される。
【００３４】
ユニット建物１Ａは、上述の如く、１個の柱省略接合部３０Ａを相隣る柱省略建物ユニット２０の外壁面に配置し、特にそれらの妻側の外壁面に配置する。
【００３５】
ユニット建物１Ａは、図４、図５に示す如く、東面配置の２個の相隣る柱省略建物ユニット２０の柱省略接合部３０Ａが配置される外壁面を玄関入り口１０１Ａとし、それら両柱省略建物ユニット２０の内部に玄関１０１を形成する。
【００３６】
また、ユニット建物１Ａは、図４、図５に示す如く、４個の相隣る柱省略建物ユニット２０の柱省略接合部３０Ｂが臨む柱なし空間１００を玄関１０１〜サニタリー１０２の続き間とする。
【００３７】
尚、ユニット建物１Ａは、建物ユニット１０（２０）の桁面を南面配置したから、南向きの明るい和室１０３、リビング１０４、ダイニング１０５を形成できる。また、玄関１０１が柱省略接合部３０Ａを介して北面の柱省略建物ユニット２０の側にまでずらされ、結果として玄関１０１の南側に配置される和室１０３を広くとることを可能にした。
【００３８】
本実施例によれば以下の作用効果を奏する。
(a)ユニット建物１Ａにおいて、複数の柱省略接合部３０Ａ、３０Ｂを有し、それら柱
省略接合部３０Ａ、３０Ｂを単一の柱なし空間１００に臨ませた。従って、ユニット建物１Ａに、柱１１に邪魔されない、単一の広々した柱なし空間１００を形成できる。
【００３９】
(b)相隣る柱省略建物ユニット２０の柱省略接合部３０Ａ、３０Ｂにて、各柱省略建物
ユニット２０の相対する継ぎ天井梁１３Ａ同士を接合した。従って、各柱省略建物ユニット２０とは別個の長尺梁を用いることなく、柱省略したユニット建物１Ａを補強でき、材料の管理性、施工性が良い。
【００４０】
(c)ユニット建物１Ａにおいて、相隣る柱省略建物ユニット２０の外壁面に柱省略接合
部３０Ａを設けた。従って、ユニット建物１Ａの上記の外壁面に、柱１１に邪魔されない大開口（玄関入り口１０１Ａ）を形成できる。
【００４１】
(d)建物ユニット１０の平面視で短辺側となる妻側の外壁面では、相隣る建物ユニット
１０との間で柱１１を省略しない場合に、特に柱１１が密になり、開口が小さめになる。従って、相隣る柱省略建物ユニット２０の妻側の外壁面に前述(c)の柱省略接合部３０Ａ
を設けることにより、その妻側の外壁面で大開口（玄関入り口１０１Ａ）を形成できる。
【００４２】
(e)前述(a)の柱なし空間１００を玄関１０１、サニタリー１０２、ダイニング等の続き間とすることにより、建物内に各部屋のより自由なレイアウトと十分な通路巾を確保できる。
【００４３】
(f)相隣る柱省略建物ユニット２０の柱省略接合部３０Ａが配置される外壁面を玄関入
り口１０１Ａとすることにより、玄関入り口１０１Ａのレイアウトの自由度を向上できる。
【００４４】
(g)柱省略建物ユニット２０の東面に配置した妻側の外壁面に柱省略接合部３０Ａを設
けることにより、東向き玄関入り口１０１Ａのレイアウトの自由度を向上し、かつ当該柱省略建物ユニット２０の長辺側となる桁側を南面に配置して広い南面居室（和室１０３）を確保できる。
【００４５】
（実施例２）（図６、図７）
図６、図７のユニット建物１Ｂは、東面と南面の２面が接道するとともに、８個の建物ユニット１０からなり、それらの妻面を東西向きに配置し、それらの北面を南北向きに配置する。
【００４６】
ユニット建物１Ｂは、８個の建物ユニット１０のうち、４個の建物ユニット１０を柱省略建物ユニット２０とし、東面配置の２個の柱省略建物ユニット２０の外壁面側会合部に柱省略接合部３０Ａを形成し、４個の柱省略建物ユニット２０の建物内側会合部に柱省略接合部３０Ｂを形成することにより、２個の柱省略接合部３０（３０Ａ、３０Ｂ）を有し、それら柱省略接合部３０Ａ、３０Ｂを単一の柱なし空間１００に臨ませている。尚、柱省略接合部３０（３０Ａ、３０Ｂ）は前述図２、図３の如くに補強される。
【００４７】
ユニット建物１Ｂは、上述の如く、１個の柱省略接合部３０Ａを相隣る柱省略建物ユニット２０の外壁面に配置し、特にそれらの妻側の外壁面に配置する。
【００４８】
ユニット建物１Ｂは、図６、図７に示す如く、東面配置の２個の相隣る柱省略建物ユニット２０の柱省略接合部３０Ａが配置される外壁面に店舗１１１の東面大開口１１１Ａを形成し、それら両柱省略建物ユニット２０の内部を店舗１１１とする。
【００４９】
また、ユニット建物１Ｂは、図６、図７に示す如く、４個の相隣る柱省略建物ユニット２０の柱省略接合部３０Ｂが臨む柱なし空間１００を店舗１１１とする。この柱なし空間１００には、２列をなす陳列棚１１２、１１３を配置できる。
【００５０】
尚、ユニット建物１Ｂは、建物ユニット１０（２０）の桁面を南面配置したから、南面配置の２個の相隣る柱省略建物ユニット２０の外壁面に店舗１１１の南面大開口１１１Ｂ、開口１１１Ｃを形成し、明るい店舗１１１を形成できる。
【００５１】
ユニット建物１Ｂは、東面の大開口１１１Ａ、南面の大開口１１１Ｂ、開口１１１Ｃの２面開口により、妻桁面２方向から店舗１１１にエントリーでき、２面接道に対応できる。
【００５２】
本実施例によれば、実施例１の(a)〜(d)の作用効果に加え、以下の作用効果を奏する。
(a)ユニット建物１Ｂの広々とした柱なし空間１００によって、建物内により広い店舗
１１１を形成できる。柱１１がとれるので、陳列棚１１２、１１３を２列等の複列配置できる。
【００５３】
(b)相隣る柱省略建物ユニット２０の柱省略接合部３０Ａが配置される外壁面を店舗１
１１の大開口１１１Ａとすることにより、店舗１１１の大開口１１１Ａのレイアウトの自由度を向上できる。
【００５４】
(c)柱省略建物ユニット２０の一面に配置した妻側の外壁面に柱省略接合部３０Ａを設
けることにより、妻面に大開口１１１Ａを形成し、かつ当該柱省略建物ユニット２０の長辺側となる桁面にも大開口１１１Ｂを形成できる。従って、柱省略建物ユニット２０の妻面と桁面の両面に大開口１１１Ａ、１１１Ｂを形成できるし、妻面と桁面の両面からエントリー可能にしてそれらの２面接道にも対応できる。
【００５５】
（実施例３）（図８〜図１０）
図８、図９のユニット建物１Ｃは、中廊下型集合住宅であり、相隣る左右２戸１２０Ａ、１２０Ｂを形成するにあたり、左右両側の各５個の建物ユニット１０と、中央の３個の建物ユニット１０からなり、南面の３個の建物ユニット１０を面一に並置し、それらの妻面を東西向きに配置し、それらの桁面を南北向きに配置する。
【００５６】
ユニット建物１Ｃは、南面の３個の建物ユニット１０と、それらの建物ユニット１０に隣接する他の３個の建物ユニット１０のそれぞれを柱省略建物ユニット２０とし、左側の２個の柱省略建物ユニット２０と中央の２個の柱省略建物ユニット２０の中央会合部に柱省略接合部３０Ａを形成し、右側の２個の柱省略建物ユニット２０と中央の２個の柱省略建物ユニット２０の中央会合部に柱省略接合部３０Ｂを形成することにより、２個の柱省略接合部３０（３０Ａ、３０Ｂ）を有し、それら柱省略接合部３０Ａ、３０Ｂを単一の柱なし空間１００に臨ませている。尚、柱省略接合部３０（３０Ａ、３０Ｂ）は前述図２、図３の如くに補強される。
【００５７】
ユニット建物１Ｃは、柱なし空間１００を中央仕切壁１２０により左右２分し、２分した空間１００Ａ、１００Ｂのそれぞれを相隣る左右の各戸１２０Ａ、１２０Ｂに割当てる。左右の各戸１２０Ａ、１２０Ｂの間取りは、互いに対称をなし、南面のリビング１２１、和室１２２と、北面の洋室１２３、サニタリー１２４を形成して備える。
【００５８】
ユニット建物１Ｃにあっては、南面に柱なし空間１００（１００Ａ、１００Ｂ）を形成し、それらの空間１００Ａ、１００Ｂが割当てられる各戸１２０Ａ、１２０Ｂに南面に臨む２室１２１、１２２を設けた。従って、ユニット建物１Ｃにおいて中央仕切壁１２０により２分される中央の建物ユニット１０にて和室１２２の一部をまかない、結果としてユニット建物１Ｃの南面間口長さを例えば約11mにしながら南面２室１２１、１２２をコン
パクトに実現できる。
【００５９】
これに対し、図１０の比較例にあっては、ユニット建物１Ｃにおける如くの柱省略接合部３０（３０Ａ、３０Ｂ）を設けないから、中央仕切壁１３０により２分される中央の建物ユニット１０を南面浴室１３１として用いる他ない。このため、南面２室（洋室１３２とリビング１３３）を確保するには、左右両側の建物ユニット１０の桁サイズを大きくする必要があり、結果として南面間口長さが例えば約14mに大型化し、大敷地が必要になる
。
【００６０】
本実施例によれば以下の作用効果を奏する。
(a)ユニット建物１Ｃにおいて、複数の柱省略接合部３０（３０Ａ、３０Ｂ）を有し、
それら柱省略接合部３０（３０Ａ、３０Ｂ）を単一の柱なし空間１００（１００Ａ、１００Ｂ）に臨ませた。従って、ユニット建物１Ｃに、柱１１に邪魔されない、単一の広々した柱なし空間１００（１００Ａ、１００Ｂ）を形成できる。
【００６１】
(b)相隣る柱省略建物ユニット２０の柱省略接合部３０（３０Ａ、３０Ｂ）にて、各柱
省略建物ユニット２０の相対する継ぎ天井梁１３Ａ同士を接合した。従って、各柱省略建物ユニット２０とは別個の長尺梁を用いることなく、柱省略したユニット建物１Ｃを補強でき、材料の管理性、施工性が良い。
【００６２】
(c)前述(a)の柱なし空間１００（１００Ａ、１００Ｂ）を集合住宅の仕切壁１２０により２分し、２分した空間１００Ａ、１００Ｂのそれぞれを相隣る各戸１２０Ａ、１２０Ｂに割当てることにより、相隣る各戸１２０Ａ、１２０Ｂのプランニングの自由度を向上できる。相隣る各戸１２０Ａ、１２０Ｂの限られた開口サイズに臨む南面空間のそれぞれを柱なしとすることにより、各戸に南面に臨む２室（リビング１２１と和室１２２）をコンパクトに実現できる。
【００６３】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００６４】
【図１】図１はユニット建物示す模式図である。
【図２】図２はユニット建物の柱省略接合部を示す模式図である。
【図３】図３は柱省略接合部の補強構造を示す模式図である。
【図４】図４は実施例１のユニット建物を示す間取図である。
【図５】図５は図４のブロックパターン図である。
【図６】図６は実施例２のユニット建物を示す間取図である。
【図７】図７は図６のブロックパターン図である。
【図８】図８は実施例３のユニット建物を示す間取図である。
【図９】図９は図８のブロックパターン図である。
【図１０】図１０は比較例のユニット建物を示す間取図である。
【符号の説明】
【００６５】
１、１Ａ〜１Ｃ  ユニット建物
１０、２０  建物ユニット
１１  柱
１２  床梁
１３  天井梁
１３Ａ  つなぎ天井梁
３０、３０Ａ、３０Ｂ  柱省略コーナー部
１００、１００Ａ、１００Ｂ  柱なし空間
１０１  玄関
１０２  サニタリー
１１１  店舗
１２０  仕切壁
【図１】
2006249699.tif 000003
【図２】
2006249699.tif 000004
【図３】
2006249699.tif 000005
【図４】
2006249699.tif 000006
【図５】
2006249699.tif 000007
【図６】
2006249699.tif 000008
【図７】
2006249699.tif 000009
【図８】
2006249699.tif 000010
【図９】
2006249699.tif 000011
【図１０】
2006249699.tif 000012